(57)【特許請求の範囲】
【請求項１】
小動物の侵入を防止するための柵を構成するための表面が滑らかで緩やかな曲面を備え微細な起伏を有する起伏面状体と当該起伏面状体と隣接する他の起伏面状体とを互いに固定するため、又は、前記起伏面状体を、地面に立設する基礎に直接固定するため、の被覆部材であって、
当該被覆部材は、前記起伏面状体の水平方向の端部の外表面を垂直方向に被覆し、垂直方向を長手方向とする正面視略矩形板状の形状をなし、当該被覆部材の横方向の両端部には、横方向断面において、前記起伏面状体又は前記基礎に向かって外方に突出する突起が備えられ、または、
当該被覆部材は、前記起伏面状体の垂直方向の端部の外表面を水平方向に被覆し、水平方向を長手方向とする正面視略矩形板状の形状をなし、当該被覆部材の横方向の両端部には、横方向断面において、前記起伏面状体又は前記基礎に向かって外方に突出する突起が備えられ、
当該被覆部材を用いて、前記起伏面状体を互いに固定すると、又は、前記起伏面状体を前記基礎に固定すると、前記突起の先端が、それぞれ、前記起伏面状体に、又は、前記起伏面状体及び前記基礎に、当接する被覆部材。
【請求項２】
前記被覆部材と対向する前記起伏面状体の内表面側に、前記被覆部材の横幅と同等以上の幅を有する略矩形板状の裏面材がさらに備えられている請求項１に記載の被覆部材。
【請求項３】
前記裏面材の横方向の両端部に、横方向断面において、前記被覆部材に向かって外方に突出する突起が備えられている請求項２に記載の被覆部材。
【請求項４】
前記被覆部材を用いて前記起伏面状体を互いに固定すると、または、前記基礎に固定すると、前記被覆部材が撓み、前記突起の先端が前記起伏面状体または前記基礎に食い込むように、前記被覆部材がバネ性を有している請求項１、２または３に記載の被覆部材。
【請求項５】
前記起伏面状体が円形の横断面を有しかつ表面が平滑な線材から形成された網状物であって、前記突起が、前記網状物の網目を貫通するような櫛刃状突起となっている請求項１〜４のいずれか１項に記載の被覆部材。
【請求項６】
前記被覆部材の全部または一部が帯状の熱可塑性材により形成され、前記被覆部材と前記起伏面状体との境界の外表面が、前記熱可塑性部材によって熱融着により平滑に覆われ、前記突起は、前記熱可塑性材から同材の一部として突出している請求項１、２または３に記載の被覆部材。
【請求項７】
前記被覆部材と前記起伏面状体との境界部の外表面が、粘着剤つきの滑性テープで接着されて覆われ、または、前記被覆部材と前記起伏面状体との境界部の外表面が、粘着剤つきの滑性テープで接着されて覆われかつ、前記被覆部材と前記起伏面状体との境界部の内表面が、さらに粘着剤つきのテープで接着されて覆われている請求項１〜６のいずれか1項に記載の被覆部材。
【請求項８】
請求項１〜７のいずれか1項に記載の被覆部材が用いられている小動物の侵入を防止するための柵。
【請求項９】
表面が滑らかで緩やかな曲面を備え微細な起伏を有する起伏面状体を用いた小動物の侵入を防止するための柵の、前記起伏面状体に取り付ける表示物であって、
前記表示物は、前記起伏面状体の外面側に表示内容を記載する表示板を有し、
前記表示板の外周端縁部の少なくとも一部が、前記起伏面状体に向けて外方に突出するように傾斜しているか、または、前記表示板の外周端縁部の少なくとも一部に請求項１〜７のいずれか１項に記載の被覆部材が備えられている表示物。
【発明の詳細な説明】
【技術分野】
【０００１】
この発明は、小動物による登はん、侵入を防止する小動物侵入防止柵に取り付けられる被覆部材及びこれを用いた柵等に関する。
【背景技術】
【０００２】
山間地域などに立地する発電所や変電所等では、施設の周辺に生息するヘビ、サル等の小動物が周囲柵を乗り越えて構内に侵入し、高圧電力設備に接触して事故を引き起こすという問題があった。小動物が柵の外面を登はんする場合、たとえばヘビ類では、自らの胴体を自在に湾曲させて、柵の外面に存在する突起物や窪みなどに体重を預け、あるいは、体表を覆う多数の鱗のうち取りわけ硬く丈夫な腹板を、柵表面の僅かな凹凸に引掛けながら登ることができる。また、サル等の哺乳動物も同様に、柵の外面に存在する僅かな凹凸を足掛かりにして登り、柵内へ侵入することができる。これら小動物による柵内への侵入を防止するため、発電所や変電所等の周囲にはしばしば小動物侵入防止柵が設置されている。これらの小動物侵入防止柵は、柵外面のあらゆる部分において、ヘビの腹板や動物の四肢が掛からない表面構造を有していることが必要であった。
【０００３】
この種の防護柵に関しては、本出願人の提案に係る、ヘビの登はん防止構造（特許文献１）、および小動物侵入防止構造（特許文献２）が公知である。そこでは発電所、変電所等の周辺からヘビ類をはじめ各種小動物による構内への侵入を防止する防護柵の構造が示されている。
【先行技術文献】
【特許文献】
【０００４】
【特許文献１】実用新案登録第３０７３５８５号
【特許文献２】実用新案登録第３２０９６９７号
【発明の概要】
【発明が解決しようとする課題】
【０００５】
これらの特許文献では、小動物侵入防止柵の主要な構成要素として、網状物を含む起伏面状体が、付帯要件とともに示されている。そこではまた、起伏面状体の固定部の被覆部材についてもその構造要件が示されている。特許文献１のヘビの登はん防止構造によれば、ヘビの登はんを防止することができる起伏面状体の固定部が、表面が平滑でかつ隣り合う２面が鈍角をなす被覆部材で覆われていることが示されている。また特許文献２に係る小動物侵入防止構造によれば、小動物の侵入を防止することができる起伏面状体の固定部が、囲いの外表面を構成する部分に９０°以下の角度を有していない略帯板状の被覆部材で覆われていることが示されている。
【０００６】
しかしながら、一般的に入手可能な起伏面状体には、波状の歪みや窪みなどがある場合があり、かつ硬質な素材で形成されている場合があるため、上記特許文献に係る被覆部材を取り付けても、歪みや窪みが容易に矯正されず、起伏面状体の外面と、被覆部材との間にすき間が残される結果となっていた。このような場合には、ヘビ等の小動物はその間隙部に胴体、腹板、四肢等を引掛けて登はんすることが可能となる。そのため、起伏面状体に波状の歪みや窪みなどが存在しても、そのような波状の歪みや窪みによるすき間が原因となる小動物の登はんを可能とする不具合を矯正して、小動物による登はん、侵入を防止することが可能な被覆部材が求められていた。
この発明の目的は、ヘビ、サル等の小動物による登はん、侵入を防止するための小動物侵入防止柵において、その構造上の欠点を改善して、小動物侵入防止効果をより確実なものとすることが可能な、小動物侵入防止柵の被覆部材を提供することにある。
【課題を解決するための手段】
【０００７】
この発明は、上記の目的を達成するために、以下の態様からなる。
【０００８】
１）小動物の侵入を防止するための柵を構成するための表面が滑らかで緩やかな曲面を備え微細な起伏を有する起伏面状体と当該起伏面状体と隣接する他の起伏面状体とを互いに固定するため、又は、前記起伏面状体を、地面に立設する基礎に直接固定するため、の被覆部材であって、当該被覆部材は、前記起伏面状体の水平方向の端部の外表面を垂直方向に被覆し、垂直方向を長手方向とする正面視略矩形板状の形状をなし、当該被覆部材の横方向の両端部には、横方向断面において、前記起伏面状体又は前記基礎に向かって外方に突出する突起が備えられ、または、当該被覆部材は、前記起伏面状体の垂直方向の端部の外表面を水平方向に被覆し、水平方向を長手方向とする正面視略矩形板状の形状をなし、当該被覆部材の横方向の両端部には、横方向断面において、前記起伏面状体又は前記基礎に向かって外方に突出する突起が備えられ、当該被覆部材を用いて、前記起伏面状体を互いに固定すると、又は、前記起伏面状体を前記基礎に固定すると、前記突起の先端が、それぞれ、前記起伏面状体に、又は、前記起伏面状体及び前記基礎に、当接する被覆部材。
【０００９】
起伏面状体とは、特許文献２に記載されているように、その起伏の高低差が０．５〜２．５ｍｍであるとともに隣り合う頂部間の距離が８ｍｍ以下ものをいう。
【００１０】
２）前記被覆部材と対向する前記起伏面状体の内表面側に、前記被覆部材の横幅と同等以上の幅を有する略矩形板状の裏面材がさらに備えられている上記１）に記載の被覆部材。
【００１１】
３）前記裏面材の横方向の両端部に、横方向断面において、前記被覆部材に向かって外方に突出する突起が備えられている上記２）に記載の被覆部材。
【００１２】
４）前記被覆部材を用いて前記起伏面状体を互いに固定すると、または、前記基礎に固定すると、前記被覆部材が撓み、前記突起の先端が前記起伏面状体または前記基礎に食い込むように、前記被覆部材がバネ性を有している上記１）、２）または３）に記載の被覆部材。
【００１３】
５）前記起伏面状体が円形の横断面を有しかつ表面が平滑な線材から形成された網状物であって、前記突起が、前記網状物の網目を貫通するような櫛刃状突起となっている上記１）〜４）のいずれか１つに記載の被覆部材。
【００１４】
網状物は、特許文献１に記載されているように、その線材の太さが０．５〜２．５ｍｍであるとともに目開きが３〜８ｍｍであるものをいう。
【００１５】
６）前記被覆部材の全部または一部が帯状の熱可塑性材により形成され、前記被覆部材と前記起伏面状体との境界の外表面が、前記熱可塑性材によって熱融着により平滑に覆われ、前記突起は、前記熱可塑性材から同材の一部として突出している上記１）、２）または３）に記載の被覆部材。
【００１６】
７）前記被覆部材と前記起伏面状体との境界部の外表面が、粘着剤つきの滑性テープで接着されて覆われ、または、前記被覆部材と前記起伏面状体との境界部の外表面が、粘着剤つきの滑性テープで接着されて覆われかつ、前記被覆部材と前記起伏面状体との境界部の内表面が、さらに粘着剤つきのテープで接着されて覆われている上記１）〜６）のいずれか1つに記載の被覆部材。
【００１７】
８）上記１）〜７）のいずれか1つに記載の被覆部材が用いられている小動物の侵入を防止するための柵。
【００１８】
９）表面が滑らかで緩やかな曲面を備え微細な起伏を有する起伏面状体を用いた小動物の侵入を防止するための柵の、前記起伏面状体に取り付ける表示物であって、前記表示物は、前記起伏面状体の外面側に表示内容を記載する表示板を有し、前記表示板の外周端縁部の少なくとも一部が、前記起伏面状体に向けて外方に突出するように傾斜しているか、または、前記表示板の外周端縁部の少なくとも一部に上記１）〜７）に記載のいずれか１つの被覆部材が備えられている表示物。
【発明の効果】
【００１９】
上記１）の小動物侵入防止柵の被覆部材によれば、起伏面状体と隣接する起伏面状体をつなぐ境界部の外表面を覆う面を、被覆部材の横方向端縁部の長手方向に沿って突起を備えている被覆部材を用いて、ネジ、リベット等によって緊結することにより、被覆部材の端縁部の突起が柵の外表面を強く押圧するため、起伏面状体と被覆部材との接合部に、サルの爪やヘビの胴体、腹板等が引っ掛るような間隙が生じることを防止することができ、サル、ヘビ等の小動物が柵を乗り越えて敷地内に入ってくることを防ぐことができる。また、地面に立設する基礎に直接に被覆部材を用いて起伏面状体を固定する場合も同様の効果を得ることができる。
【００２０】
上記２）の小動物侵入防止柵の被覆部材によれば、前記被覆部材と対向する前記起伏面状体の内表面側に、前記被覆部材の横幅と同等以上の幅を有する略矩形板状の裏面材がさらに備えられているので、起伏面状体に波状の歪みや窪みなどが存在していても、被覆部材と裏面材とが強く咬合するため、被覆部材と起伏面状体との接合部や被覆部材と基礎との接合部において、サルの爪やヘビの胴体、腹板等が引っ掛るような間隙が生じることを防止することができ、サル、ヘビ等の小動物が柵を乗り越えて敷地内に入ってくることを防ぐことができる。また、被覆部材の端縁部による押圧力によって起伏面状体が窪み変形することもない。
【００２１】
上記３）の小動物侵入防止柵の被覆部材によれば、前記裏面材の横方向の両端部に、横方向断面において、前記被覆部材に向かって外方に突出する突起が備えられているので、被覆部材の突起を裏面材の左右２つの突起間で挟み込むことができ、被覆部材と裏面材とがさらに強く咬合するため、被覆部材と起伏面状体との接合部や被覆部材と基礎との接合部において、隙間の発生をさらに少なくすることができる。
【００２２】
上記４）の小動物侵入防止柵の被覆部材によれば、被覆部材がバネ性を具備する材料によって形成することによって、前記被覆部材を用いて前記起伏面状体を互いに固定すると、または、前記基礎に固定すると、前記被覆部材が撓み、前記突起の先端が前記起伏面状体または前記基礎に食い込むので、被覆部材が起伏面状体または基礎に接する面を、より強く押圧することが可能となる。また、不測の外力によって起伏面状体に一時的な歪みや窪みが生じたとしても、被覆部材のバネ力によって突起がさらに起伏面状体や基礎に押圧され、起伏面状体や基礎に対する圧力は安定的に維持される。そのため被覆部材と起伏面状体との接合部において、サルの爪やヘビの胴体、腹板が引っ掛るような間隙が生じることを防止することができ、サル、ヘビ等の小動物が柵を乗り越えて敷地内に入ってくることを防ぐことができる。
【００２３】
上記５）の小動物侵入防止柵の被覆部材によれば、前記起伏面状体が円形の横断面を有しかつ表面が平滑な線材から形成された網状物であって、前記突起が、前記網状物の網目を貫通するような櫛刃状突起となっているので、被覆部材と起伏面状体である網状物は、より深く接合され、一体化するため、被覆部材と網状物との接合部において、サルの爪やヘビの胴体、腹板等が引っ掛るような間隙が生じることを防止することができ、サル、ヘビ等の小動物が柵を乗り越えて敷地内に入ってくることを防ぐことができる。
【００２４】
上記６）の小動物侵入防止柵の被覆部材によれば、前記被覆部材の全部または一部が帯状の熱可塑性材により形成され、前記被覆部材と前記起伏面状体との境界の外表面が、前記熱可塑性部材によって熱融着により平滑に覆われ、前記突起は、前記熱可塑性材から同材の一部として突出しているので、被覆部材と起伏面状体との接合部が一体化されるため、サルの爪やヘビの胴体、腹板等が引っ掛るような間隙が生じることを防止することができ、サル、ヘビ等の小動物が柵を乗り越えて敷地内に入ってくることを防ぐことができる。
【００２５】
上記７）の小動物侵入防止柵の被覆部材によれば、前記被覆部材と前記起伏面状体との境界部の外表面が、粘着剤つきの滑性テープで接着され覆われているので、被覆部材と起伏面状体との接合部が平滑化されるため、サルの爪やヘビの胴体、腹板等が引っ掛るような間隙が生じることを防止することができ、サル、ヘビ等の小動物が柵を乗り越えて敷地内に入ってくることを防ぐことができる。または、前記被覆部材と前記起伏面状体との境界部の外表面が、粘着剤つきの滑性テープで接着されて覆われかつ、前記被覆部材と前記起伏面状体との境界部の内表面が、さらに粘着剤つきのテープで接着されて覆われているので、サル、ヘビ等の小動物が柵を乗り越えて敷地内に入ってくることを防ぐことができるとともに、被覆部材と起伏面状体との一体化が向上し、耐久性が向上する。
【００２６】
上記８）の小動物の侵入を防止するための柵によれば、例えば、発電所などの敷地内に小動物が侵入してくるのを防止できるので、敷地内に設置された各種装置が小動物によって破損することがなくなる。
【００２７】
上記９）の表示物によれば、起伏面状体に設置された表示物の表示板と起伏面状体との間に隙間ができにくく、表示板と起伏面状体との間にサルの爪やヘビの胴体、腹板が引っ掛るような間隙が生じることを防止することができ、サル、ヘビ等の小動物が表示物を利用して柵を乗り越えて敷地内に入ってくることを防ぐことができる。
【００２８】
なお、上記の１）〜７）の被覆部材は、基本的には、前記起伏面状体の水平方向の端部の外表面を垂直方向に被覆するものであるが、上記１）の「当該被覆部材は、前記起伏面状体の垂直方向の端部の外表面を水平方向に被覆し、水平方向を長手方向とする略矩形板状の形状をなし、当該被覆部材の横方向の両端部には、横方向断面において、前記起伏面状体又は前記基礎に向かって外方に突出する突起が備えられ」とあるように、起伏面状体の垂直方向の端部の外表面を水平方向に被覆するものであっても、起伏面状体と被覆部材との間に隙間ができにくく、上述と同様に、小動物の侵入防止効果が得られる。
【図面の簡単な説明】
【００２９】
【図１】小動物侵入防止柵の起伏面状体（網状物）の連結部において、端縁部に沿って突起を備えた被覆部材で固定した状態を示す水平断面図である。
【図２】起伏面状体（網状物）の裏面側に、網状物と接する面が端縁部に沿って突起を備えている裏面材が取り付けられている状態を示す水平断面図である。
【図３】バネ性を具備する被覆部材を、起伏面状体（網状物）の連結部に取り付けた状態を示す水平断面図である。
【図４】被覆部材の端縁部に網状物の網目幅に等しい間隔で、連続した櫛刃状突起を備え、網状物と緊結した状態を示す正面図と水平断面図である。
【図５ａ】被覆部材（押え板）とともに取り付けた帯状の熱可塑性材料の端縁部が、網状物に熱融着によって接合され、接合部分が平滑化された状態を示す正面図と水平断面図である。
【図５ｂ】被覆部材（押え板）とともに取り付けた帯状の熱可塑性材料の端縁部が、網状物に熱融着によって接合され、接合部分が平滑化された状態を示す正面図と水平断面図である。
【図５ｃ】被覆部材（押え板）とともに取り付けた帯状の熱可塑性材料の端縁部が、網状物に熱融着によって接合され、接合部分が平滑化された状態を示す正面図と水平断面図である。
【図６】端縁部に突起を備えた被覆部材を、水平固定材としてコンクリート製の基礎に取り付けた状態を示す垂直断面図である。
【図７】突起が略Ｕ型に曲げられ、被覆部材と裏面材とが一体化された部材を、水平固定材としてコンクリート製の基礎に取り付けた状態を示す垂直断面図である。
【図８】端縁部に突起を備えたＬ字状の被覆部材を、柵の出隅部に取り付けた状態を示す水平断面図である。
【図９】端縁部に突起を備えたＬ字状の被覆部材を、柵の入隅部に取り付けた状態を示す水平断面図である。
【図１０】外周端縁部に突起（傾斜面）を備えた表示板を有する表示物を、網状物の外面に取り付けた状態を示す正面斜視図と水平断面図である。
【図１１】被覆部材と起伏面状体（網状物）との境界部の外表面が、粘着剤つきの滑性テープで接着され、接合部分が平滑化された状態を示す正面図と水平断面図である。また、起伏面状体（網状物）との境界部の外表面及び被覆部材と起伏面状体（網状物）との境界部の内表面が粘着剤つきの滑性テープで接着され、接合部分が平滑化された状態を示す正面図と水平断面図である。
【図１２】起伏面状体（網状物）に被覆部材を用いて、表示板を取り付けている実施例の水平断面図を示す。
【発明を実施するための形態】
【００３０】
図１は、この発明に係る小動物侵入防止柵１の起伏面状体１０（網状物）の外表面を覆う被覆部材２０が、端縁部に沿って突起２１を備えている状態を示したものである。先行技術文献では、網状物１０の固定部をなす被覆部材２０は、表面が平滑でかつ隣り合う２面が鈍角をなしていること（特許文献１）、および、囲いの外表面を構成する部分に９０°以下の角度を有していないこと（特許文献２）が示されている。そのうえで、この発明に係る被覆部材２０では、起伏面状体１０（網状物）の外表面を覆う面が、端縁部に沿って突起２１を備えているため、起伏面状体１０（網状物）を強く押圧することができる。ここで、被覆部材２０の端縁部に備えられる突起２１の高さは１〜１０ｍｍ程度が好ましい。
【００３１】
被覆部材２０と支柱３０とは、隣り合う起伏面状体１０（網状物）を貫通する螺子等の連結部材４０で締結されている。
【００３２】
図２は、起伏面状体１０（網状物）を介して被覆部材と対向する裏面側に、被覆部材２０の横幅よりも幅が広い略矩形板状で、かつ起伏面状体１０（網状物）と接する面が端縁部に沿って突起５１を備えた裏面材５０が取り付けられている。裏面材５０の横幅は、被覆部材２０による押圧を受け止めるため、少なくとも被覆部材２０と同等以上であることが必要である。また、裏面材５０の端縁部は、平板状でも良いが、その端縁部に沿って、起伏面状体１０を押圧する方向に突起５１を備えているとなお良い。この場合、裏面材５０の端縁部に備える突起５１の高さは１〜１０ｍｍ程度あることが好ましい。
【００３３】
図３は、起伏面状体１０（網状物）の連結部において、固定具として使用される被覆部材２０が、バネ性を具備する材料によって形成されている。この場合、被覆部材２０の形状は、被覆部材２０の端縁部において起伏面状体１０（網状物）を押圧できる形状であればよい。バネ性を具備する材料としては、日本産業規格の「ばね用ステンレス鋼帯」（ＪＩＳ  Ｇ４３１３）に規定されるステンレス鋼をはじめ、炭素鋼、ニッケル合金など、バネ性を有する全ての金属材料や、ポリカーボネート、ポリアセタールなどの樹脂バネなど、どれを使用しても良い。裏面材５０の形状は、平板状となっている。
【００３４】
図４は、網状物１０の連結部において、固定具として使用される被覆部材２０の端縁部に、網状物１０の網目幅に等しい間隔で、連続した櫛刃状突起２２が備えられている。これにより、被覆部材が網状物に深く食い込んで一体化し、サルの爪やヘビの胴体、腹板等が掛かるような間隙が生じにくくなる。図４−Iは正面図であり、図４−IIはＡ−Ａ’断面図を示す。
【００３５】
図５ａの、（Ｉ）は、熱融着後の正面図、（ＩＩ−Ｉ）は、熱融着前の水平断面図、（ＩＩ−ＩＩ）は、熱融着後の水平断面図を示す。被覆部材２０の一部が帯状の熱可塑性材６０により形成され、前記被覆部材２０と前記起伏面状体１０との境界の外表面が、前記熱可塑性部材６０によって熱融着により平滑に覆われ、前記熱可塑性材６０から同材の一部として突出している部分が、元の突起２１の先に形成されている。これにより、サルの爪やヘビの胴体、腹板等が引っ掛るような間隙が生じにくくなる。熱可塑性材としては、多くの樹脂素材が利用可能であるが、耐候性が良好で、過熱融解しやすい素材としては、例えばポリエチレン、ポリプロピレン、ポリ塩化ビニル、アクリルなどがある。また熱可塑性材を熱融解させて網状物との接合部を平滑化させるためには、電熱コテ、アイロンなどの加熱器具が利用可能である。
【００３６】
図５ｂの、（Ｉ）は、熱融着後の正面図、（ＩＩ−Ｉ）は、熱融着前の水平断面図、（ＩＩ−ＩＩ）は、熱融着後の水平断面図を示す。熱融着前の（ＩＩ−Ｉ）では、起伏面状体１０の上に平板６１が載置され、その上に熱可塑性材６０が載置されている。熱可塑性材６０を熱融着すると、（ＩＩ−ＩＩ）に見られるように、熱可塑性材６０の両端部が下方外方に向けて変形をし、被覆部材２０が形成される。変形した熱可塑性材６０の両端部は、突起２１を形成する。これにより、被覆部材２０と起伏面状体１０との接合部分が平滑化され、サルの爪やヘビの胴体、腹板等が引っ掛るような間隙が生じにくくなる。平板６１は、硬質の平板が好ましく、例えば鉄、ステンレス、亜鉛などの金属板や、繊維強化プラスチック板、ポリカーボネート板などが好ましい。
【００３７】
図５ｃの、（Ｉ）は、熱融着後の正面図、（ＩＩ−Ｉ）は、熱融着前の水平断面図、（ＩＩ−ＩＩ）は、熱融着後の水平断面図を示す。図５ｂの実施例の平板６１を用いていない実施例である。図５ｂの場合と同様に、被覆部材２０と起伏面状体１０との接合部分が平滑化され、サルの爪やヘビの胴体、腹板等が引っ掛るような間隙が生じにくくなる。
【００３８】
図６は、起伏面状体１０（網状物）の外面に接する面の端縁部が、起伏面状体１０（網状物）を押圧する方向に突起２１を備えた被覆部材２０を、水平固定材として基礎コンクリート７０に取り付けてある。これによって、基礎コンクリート７０の外面に凹凸があっても、被覆部材２０に備えられた突起２１によって凹凸が塞がれ、ヘビ等が通過する間隙が生じにくくなる。
【００３９】
図７は、被覆部材２０と、被覆部材２０の押圧を受け止める裏面材とが略Ｕ型に一体化されて、水平固定材として基礎コンクリート７０に取り付けられている。この水平固定材７０を、起伏面状体１０（網状物）とともに緊結することによって、被覆部材２０の物理的強度が増すため基礎コンクリート７０へ強固に取り付けられる。これにより、不慮の外力による変形や脱落等が生じることなく、被覆部材１０の機能を安定的に維持することができる。右側の突起は、この図では２１００と附番されている箇所が相当する。
【００４０】
図８は、起伏面状体１０（網状物）の外面に接する面の端縁部に沿って突起２０１を備えたＬ字状の被覆部材２００が、小動物侵入防止柵１の出隅部に取り付けられている。これにより、起伏面状体１０と被覆部材２００の端縁部との接合部や、柵１の出隅部に小動物の登はんを可能にする間隙が生じにくくなる。
【００４１】
図９は、起伏面状体１０（網状物）の外面に接する面の端縁部に沿って突起２１１を備えた被覆部材２１０が、小動物侵入防止柵１の入隅部に裏面材５００とともに取り付けられている。これにより、起伏面状体１０（網状物）と被覆部材２１０の端縁部との接合部や、柵１の入隅部に小動物の登はんを可能にする間隙が生じにくくなる。
【００４２】
図１０に示す表示物８０は、表面が滑らかで緩やかな曲面を備え微細な起伏を有する起伏面状体１０を用いた小動物の侵入を防止するための柵１の、前記起伏面状体１０に取り付ける表示物８０であって、前記表示物８０は、前記起伏面状体１０の外面側に板状の表示内容を記載する表示板８１と、前記起伏面状体１０の内面側であって、前記表示板８１と対向する位置に配置された裏面材８２と、前記表示板８１と前記裏面材８２とを連結する連結部材４００とを有し、前記表示板８１の外周端縁部は、前記起伏面状体１０に向けて外方に突出するように傾斜して、傾斜部８３を形成している。これにより、表示板８１の全周にわたる端縁部が起伏面状体１０（網状物）を強く押圧することによって、小動物の登はんを可能にする間隙が生じにくくなる。傾斜部８３は、外周端縁部の全てに渡って形成する必要はなく、小動物の進入を防止するのに必要な箇所に設ければよい。連結部材４００は、ボルト４０１とナット４０２を備えている。図１０−Ｉは、斜視図を示し、図１０−ＩＩは、Ｃ−Ｃ‘断面図を示す。
【００４３】
図１２は、起伏面状体（網状物）１０に被覆部材２０を用いて、表示板８１を取り付けている実施例の水平断面図を示す。被覆部材２０が取り付けられている場所は、小動物の登はんを可能にする間隙が生じにくくなる。この実施例では、矩形の表示板８１の一辺のみに被覆部材２０が取り付けられている。表示板８１の外周端縁部の全てに渡ってとりつける必要はなく、このように小動物の進入に防止するのに必要な箇所に取り付ければよい。
【００４４】
図１１は、被覆部材２０と起伏面状体１０（網状物）との境界部の外表面が、粘着剤つきの滑性テープ９０で接着され、接合部分が平滑化された状態を示す正面図（図１１−I）とＤ−Ｄ‘断面図（図１１−II）である。また、被覆部材２０と起伏面状体１０（網状物）との境界部の外表面が、粘着剤つきの滑性テープ９０で接着され、接合部分が平滑化され、かつ、被覆部材２０と起伏面状体１０（網状物）との境界部の起伏面状体１０（網状物）の内表面が粘着剤つきのテープ９１で接着された状態を示すＤ−Ｄ’断面図（図１１−III）である。
【００４５】
図１１−IIに示す被覆部材を用いると、被覆部材２０と起伏面状体１０との境界部の外表面が、粘着剤つきの滑性テープ９０で接着され覆われているので、被覆部材２０と起伏面状体１０（網状物）との接合部が平滑化されるため、サルの爪やヘビの胴体、腹板等が引っ掛るような間隙が生じることを防止することができ、サル、ヘビ等の小動物が柵を乗り越えて敷地内に入ってくることを防ぐことができる。
【００４６】
図１１−IIIに示す被覆部材を用いると、被覆部材２０と起伏面状体１０との境界部の起伏面状体１０（網状物）の内表面が、粘着剤つきのテープ９１でさらに覆われているので、被覆部材２０と起伏面状体１０との一体化が向上し、耐久性が向上する。
【産業上の利用可能性】
【００４７】
この発明は、発電所や変電所等の施設において、ヘビ、サル等の小動物の侵入を防止する小動物侵入防止柵の性能向上を図ることができる。
【符号の説明】
【００４８】
１：柵
１０：起伏面上体（網状物）
２０：被覆部材
２１：突起
２２：櫛刃状突起
３０：支柱
４０：締結部材
５０：裏面材
５１：突起
６０：熱可塑性材
６１：平板
７０：基礎コンクリート
８０：表示物
８１：表示板
８２：裏面材
８３：傾斜部
９０：滑性テープ
９１：テープ
２００：被覆部材
２０１：突起
２１０：被覆部材
２１１：突起
４００：連結部材
４０１：連結ボルト
４０２：連結ナット
５００：裏面材
【要約】      （修正有）【課題】小動物侵入防止効果をより確実なものとすることが可能な、小動物侵入防止柵の被覆部材を提供する。【解決手段】小動物の侵入を防止するための柵を構成するための起伏面状体１０を互いに固定するため、又は、起伏面状体を、基礎に固定するため、の被覆部材２０であって、被覆部材は、起伏面状体の水平方向の端部の外表面を垂直方向に被覆し、垂直方向を長手方向とする正面視略矩形板状の形状をなし、被覆部材の横方向の両端部には、横方向断面において、起伏面状体又は前記基礎に向かって外方に突出する突起２１が備えられ、被覆部材を用いて、起伏面状体を互いに固定すると、又は、起伏面状体を基礎に固定すると、突起の先端が、前記起伏面状体に当接する。【選択図】図１【図１】
0006799875.tif 000002
【図２】
0006799875.tif 000003
【図３】
0006799875.tif 000004
【図４】
0006799875.tif 000005
【図５ａ】
0006799875.tif 000006
【図５ｂ】
0006799875.tif 000007
【図５ｃ】
0006799875.tif 000008
【図６】
0006799875.tif 000009
【図７】
0006799875.tif 000010
【図８】
0006799875.tif 000011
【図９】
0006799875.tif 000012
【図１０】
0006799875.tif 000013
【図１１】
0006799875.tif 000014
【図１２】
0006799875.tif 000015